(57)【要約】【課題】嵌合力が高く、かつ容易な開封することができるとともに、容器の正規な開封前に不正な開封が行われたか否かを目視でもって確実に判断可能な容器用キャップを提案する。【解決手段】容器の注出開口２ａを閉塞する天板１ａを、下向きに開放された環状溝１ｂを形成する内外二重の筒体１ｃ、１ｄに一体連結して、該環状溝１ｂを容器の口頚部先端２に嵌合させて固定保持するベース１ｅと、このベース１ｅを取り囲んで該容器の該口頚部先端２ａに対する嵌合力を強化環状帯３とを備えたものにおいて、ベース１ｅと環状帯３との相互間に、該ベース１ｅおよび該環状帯３をその天面上端部の少なくとも一部分において分離可能に連結する天面弱化片４と、該天面弱化片４よりも下方の部位で該ベース１ｅおよび該環状帯３を分離不能に連結するとともに該環状帯３の引き起こしにより該天面弱化片４を破断して該ベース１ｅを容器の口頚部先端２より離脱させる連結片５を設ける。【選択図】図１
2015193389.tif 000002
【特許請求の範囲】
【請求項１】
容器の注出開口を閉塞する天板を、下向きに開放された環状溝を形成する内外二重の筒体に一体連結して、該環状溝を容器の口頚部先端に嵌合させて固定保持するベースと、このベースを取り囲んで該筒体の該口頚部先端に対する嵌合力を強化する環状帯とを備えた容器用キャップであって、
前記ベースと前記環状帯との相互間に、該ベースおよび該環状帯をその天面上端部の少なくとも一部分において分離可能に連結する天面弱化片と、該天面弱化片よりも下方の部位で該ベースおよび該環状帯を分離不能に連結するとともに該環状帯の引き起こしにより該天面弱化片を破断して該ベースを容器の口頚部先端より離脱させる連結片を設けたことを特徴とする容器用キャップ。
【請求項２】
前記天面弱化片は、前記環状帯の引き起こし起点となる該環状帯の前面側の側方位置に設けられたものであることを特徴とする請求項１に記載した容器用キャップ。
【請求項３】
前記天面弱化片が設けられた領域を除く下方領域において前記ベースおよび該環状帯を分離可能に連結する少なくとも１つの弱化ブリッジを設けたことを特徴とする請求項１または２に記載した容器用キャップ。
【請求項４】
前記ベースの外周壁および前記環状帯の内周壁の少なくとも一方に、前記弱化ブリッジに隣接する保護突起を設けたことを特徴とする請求項３に記載した容器用キャップ。
【請求項５】
前記ベースの外周壁および前記環状帯の内周壁の少なくとも一方に、前記天面弱化片に隣接する保護突起を設けたことを特徴とする請求項１〜４のいずれか１に記載して容器用キャップ。
【発明の詳細な説明】
【技術分野】
【０００１】
本発明は、飲みきりタイプの飲料ボトルや詰め替え容器等に多く用いられている簡易型の容器用キャップに関するものであり、とくには、容器の注出開口を閉塞する天板を、下向きに開放された環状溝を形成する内外二重の筒体に一体連結して、その環状溝を打栓によって容器の口頚部先端に嵌合させて固定保持するベースと、このベースを取り囲んで、筒体の口頚部先端に対する嵌合力を強化する環状帯とを備えたものである。
【背景技術】
【０００２】
この種の容器用キャップは、ドリンク剤等で使用される飲みきりタイプの飲料容器や、詰め替え容器等に多用されており、たとえば、特許文献１に開示されたものが知られている。
【０００３】
これは、ビン口内壁に嵌合する胴部を円盤部で被冠するとともに、その円盤部と、それの外側に同心円状に位置する環状把手部とを一部破断可能に、一部一体的に連結し、環状把手部を引き上げることによって、胴部をビン口から抜き出して開栓するものである。
【０００４】
【特許文献１】特許第４１５２７１７号公報
【発明の概要】
【発明が解決しようとする課題】
【０００５】
しかるにこの従来の容器用キャップは、胴部がビン口内壁に単に嵌合しているにすぎず、破断可能連結部を破断せずとも容器の注出開口から引き抜くことできるおそれがあり、不正な開封が行われたかどうかを確実に判断できるとはいえないところに問題を残している。
【０００６】
本発明の課題は、容器の注出開口に対する嵌合力を高めて容器の確実な密封が行える一方、開封時には容易に開封を行うことが可能であり、しかも容器を正規に開封する前に不正な開封が行われたか否かを目視で確実に判断できる容器用キャップを提案することにある。
【課題を解決するための手段】
【０００７】
本発明の容器用キャップは、容器の注出開口を閉塞する天板を、下向きに開放された環状溝を形成する内外二重の筒体に一体連結して、該環状溝を容器の口頚部先端に嵌合させて固定保持するベースと、このベースを取り囲んで該筒体の該口頚部先端に対する嵌合力を強化する環状帯とを備えた容器用キャップであって、
前記ベースと前記環状帯との相互間に、該ベースおよび該環状帯をその天面上端部の少なくとも一部分において分離可能に連結する天面弱化片と、該天面弱化片よりも下方の位置で該ベースおよび該環状帯を分離不能に連結するとともに該環状帯の引き起こしにより該天面弱化片を破断して該ベースを容器の口頚部先端より離脱させる連結片を設けたことを特徴とする容器用キャップである。
【０００８】
また、本発明は、上記の構成からなる容器用キャップにおいて以下の構成要素を付加するのが好ましい。すなわち、
１）天面弱化片は、環状帯の引き起こし起点となる該環状帯の前面側の側方位置に設けられたものであること。
２）天面弱化片が設けられた領域を除く下方領域において該ベースおよび該環状帯を分離可能に連結する少なくとも１つの弱化ブリッジを設けること。
３）ベースの外周壁および前記環状帯の内周壁の少なくとも一方に、前記弱化ブリッジに隣接する保護突起を設けること。さらに、
４）ベースの外周壁および前記環状帯の内周壁の少なくとも一方に、前記天面弱化片に隣接する保護突起を設けること。
【０００９】
ここで、「天面弱化片に隣接する」、「弱化ブリッジに隣接する」とは、文字通り隣接する場合の他、天面弱化片、弱化ブリッジから離隔して位置する場合、あるいは天面弱化片、弱化ブリッジの縁部に一体的に連結している場合をも含むものとする。
【００１０】
また、「保護突起」は、突起状のもの、あるいはリブ状のものを適用することができ、天面弱化片、弱化ブリッジの破断痕が残る部分（ベース、環状帯のいずれか一方）に隣接する場合のみならず、その上方および下方の少なくとも一方に設けることもできる。
【００１１】
また、天面弱化片、弱化ブリッジには、その破断を容易にするため、薄肉部、ミシン目状の穿孔あるいはスリット状の切れ込み等の分断予定端を設けておくことが好ましい。保護突起については、ベースを構成する外側の筒体の外周壁に設けておくのが好ましい。
【発明の効果】
【００１２】
上記構成からなる本発明の容器用キャップによれば、ベースの周りに環状帯を設け、該環状帯をベースの箍として機能させるようにしたため容器用キャップの、容器の口頚部に対する嵌合がより強固になる。
【００１３】
また、本発明の容器用キャップによれば、環状帯の引き起こすことにより、容器用キャップの、容器の口頚部における嵌合力を弱めることが可能となり、連結部を介してベースキャップを引き上げるだけで容器を簡単に開封することができる。
【００１４】
また、本発明の容器用キャップによれば、環状帯を引き起こす際に、天面弱化片が破断するため、容器の正規の開封前に不正な開封が行われたかどうかを、容器用キャップの天面側を視認するだけで簡単に見分けることができる。
【００１５】
また、本発明の容器用キャップによれば、天面弱化片を、環状帯の引き起こし起点となる該環状帯の前面側の側方位置に設けたことにより、環状帯を引き起こす向きと天面弱化片が破断する向きがほぼ一致することになり、該天面弱化片をより小さな力でスムーズに破断することができる。
【００１６】
また、本発明の容器用キャップによれば、天面弱化片が設けられた領域を除く下方領域に、該ベースおよび該環状帯を分離可能に連結する少なくとも１つの弱化片を設けたため、環状帯の、ベースに対する取り付け姿勢を安定的に保持することができる。
【００１７】
また、本発明の容器用キャップによれば、ベースの外周壁および環状帯の内周壁の少なくとも一方に、弱化ブリッジに隣接する保護突起を設けたため、容器の開封時に該弱化ブリッジの破断箇所に、先端が尖った、内向きまたは外向きの破断痕が発生しても、保護突起の作用下で、開封作業を行う需要者の手指への破断痕の接触の程度を小さくすることが可能となり、それによる不快な刺激が軽減される。
【００１８】
とくに、天面弱化片に隣接する部位に保護突起を設ける場合にあっては、該天面弱化片の破断箇所に、先端が尖った、内向きまたは外向きの破断痕が発生しても、保護突起の作用下で、開封作業を行う需要者の手指への破断痕の接触の程度を小さくすることが可能となり、それによる不快な刺激が軽減される。
【図面の簡単な説明】
【００１９】
【図１】本発明の容器用キャップの実施例を模式的に示した図であり、（ａ）は平面図、（ｂ）は側面を断面で示した図である。
【図２】図１に示した容器用キャップの外観斜視図である。
【図３】図１に示した容器用キャップのＢ−Ｂ断面を示した図である。
【図４】図１に示した容器用キャップの抜栓状況を示した図である。
【図５】本発明の容器用キャップの他の例を平面について示した図である。
【発明を実施するための形態】
【００２０】
以下に本発明の実施の形態を図面に基づいて説明する。
図１（ａ）（ｂ）は、本発明に従う容器用キャップの実施例を模式的に示した図であり、図２は図１に示した容器用キャップの外観斜視図であり、図３は、図１のＢ−Ｂ断面を示した図であり、さらに図４は図１に示した容器用キャップにおいて環状帯を引き起こした状態（抜栓状態）を示した図である。
【００２１】
図１〜４において、符号１は、容器用キャップである。この容器用キャップ１は、容器の口頚部先端２の注出開口２ａを閉塞する天板１ａと、上端同士を一体連結して下向きに開放された環状溝１ｂを形成するとともにその内側下端を連結部１ｈに連結した内外の筒体１ｃ、１ｄ（以下、内側の筒体を内筒１ｃで表示し、外側の筒体を外筒１ｄで表示する）とによって構成されたベース１ｅを備えている。
【００２２】
このベース１ｅは、内筒１ｃと外筒１ｄとの間の環状溝１ｂを打栓によって容器の口頚部先端２に嵌合させて該ベース１ｅを固定保持するものであって、このベース１ｅの外側には、該ベース１ｅを取り囲んで内筒１ｃ、外筒１ｄの口頚部先端２に対する嵌合力を強化する環状帯３が設けられている。なお、環状帯３はその前面側の外壁（その中心軸線に対し連結片の形成位置とは、直径方向に対向する外周面）に、半径方向外方へ突出する、たとえばリップ状の平面形状の指掛け片３ａを設けられる。
【００２３】
なお、図１（ａ）（ｂ）に示すところでは、外筒１ｄの一条の内周突状１ｆと口頚部先端２の一条の外周突状２ｂとのアンダーカット嵌合によって、口頚部先端２を内筒１ｃと外筒１ｄとの間で挟持する嵌合固定状態を実現している。
【００２４】
また、符号４は、ベース１ｅの外筒１ｄと環状帯３との相互間に設けられた天面弱化片である。この天面弱化片４は、ベース１ｅの外筒１ｄおよび環状帯３を、その天面上端部の少なくとも一部分において分離可能に連結する薄肉板状部材から構成されている。指掛け片３ａを把持して帯状体３を引き起こしベース１ｅの外筒１ｄと環状帯３を分離するとき、該天面弱化片４は前側端縁４ａから破断が始まり後側端縁４ｂにおいて破断を完了するものであって、この前側端縁４ａと後側端縁４ｂとの相互間に破断予定端（線）４ｃが形成される。
【００２５】
ここでは、天面上端部の少なくとも一部分として、天面弱化片４を、環状帯３の引き起こし起点となる該環状帯３の前面側（指掛け片３ａが設けられている側）の側方位置に二つ設け、前側端縁４ａ、後側端縁４ｂおよびこれらを結ぶ破断予定端４ｃをベース１ｅの外筒１ｄの外周壁に一致させることにより該天面弱化片４を該外筒１ｄの外周壁に沿わせて破断させるものを例として示したが、前側端縁４ａ、後側端縁４ｂおよび破断予定端４ｃを環状帯３の内周壁に一致させて天面弱化片４を破断することも可能であり、この点については限定されない。
【００２６】
前側端縁４ａ、後側端縁４ｂおよび破断予定端４ｃをベース１ｅの外周壁に一致させて天面弱化片４を破断する場合、その破断痕は、環状帯３の内周壁に残ることになり、逆に、前側端縁４ａ、後側端縁４ｂおよび破断予定端４ｃを環状帯３の内周壁に一致させて天面弱化片４を破断する場合には、その破断痕は、ベース１ｅの外筒１ｄの外周壁に残ることになる。なお、天面弱化片４の破断を容易ならしめるため、破断予定端４ｃは、薄肉部、ミシン目状の穿孔あるいはスリット状の切れ込み等によって形成するのが好ましい。
【００２７】
天面弱化片４の平面形状は所要に応じて適宜変更することができるものであって図示のものに限定されることはない。
【００２８】
また、５は、ベース１ｅの外筒１ｄおよび環状帯３を分離不能に連結する連結片である。この連結片５は、ベース１ｅの背面側（指掛け片３ａが設けられた対向位置）で、天面弱化片４よりも下方の部位に設けられており、環状帯３を引き起こして容器を開封する際に、ベース１ｅはこの連結片５を介して容器の口頚部先端２から離脱する。
【００２９】
連結片５は、天面弱化片４よりも下方に設けられていればよいが、とりわけ、ベース１ｅの外筒１ｄの下端および環状帯３の下端に設けるのが好ましく、これにより、環状帯３を引き起こす際に、外筒１ｄに設けられた内周突状１ｆが径方向の外側へ向けて引っ張られるため、口頚部先端２に設けられた外周突条２ｂとの嵌合が解除しやすくなり、より小さい力で容器の開封が可能となる。
【００３０】
また、符号６は、天面弱化片４が設けられた領域を除く下方領域、とくに、ベース１ｅと環状帯３との下端に設けられた弱化ブリッジである。この弱化ブリッジ６は、ベース１ｅおよび環状帯３を分離可能に連結するものであって、この弱化ブリッジ６によって環状帯３の、ベース１ｅに対する取り付け姿勢の安定化が図られている。この弱化ブリッジ６は、環状帯３の引き起こしに際して破断する。
【００３１】
弱化ブリッジ６は、少なくとも１つ設けられるものである。弱化ブリッジン６を複数設ける場合には、ベース１ｅの周りに沿って間隔をおいて配置するのがよい。
【００３２】
弱化ブリッジ６の平面形状は、環状帯３に向けて先細りとなる台形形状としたものを例示したが、弱化ブリッジ６の配設個所や平面形状等は、適宜変更することができる。
【００３３】
弱化ブリッジ６の平面形状を、環状帯３に向けて先細りとなる台形形状とし、かつ、その断面形状を、環状帯３に向けて漸次に薄肉化したものを適用する場合には、該弱化ブリッジ６の分断予定端６ａは、環状帯３との連結部位（環状帯３と弱化ブリッジ６の境界）に位置し、抜栓時に弱化ブリッジ４の破断痕は、外筒１ｄ側に残ることになる。とくに弱化ブリッジ４の破断痕が外筒１ｄ側に残る場合においては、環状帯３そのものに指を掛けて引き起こす際に、弱化ブリッジ４の破断痕による手指への不快な刺激を無くすことができる利点がある。
【００３４】
なお、弱化ブリッジ６の分断予定端６ａは、外筒１ｄとの連結部位としてもよく、その場合には、先端が尖った弱化ブリッジ６の破断痕は環状帯３の内周壁に残ることになる。
【００３５】
分断予定端６ａは、弱化ブリッジ６の幅寸法や厚さを適宜変更してその平面形状を変化させることによって容易に形成することができる（幅寸法の変更等）が、薄肉部を設けたり、ミシン目状の穿孔、あるいはスリット状の切れ込みを設けることによって形成してもよい。
【００３６】
また、符号７は、弱化ブリッジ６に隣接して設けられた保護突起である。この保護突起７は、弱化ブリッジ６の破断痕が残る部位、すなわち、ベース１ｅの外筒１ｄの外周壁あるいは環状帯３の内周壁のいずれかに一方に設けられるものであって、容器の口頚部先端２から容器用キャップ１を取り外す際に需要者の手指を、弱化ブリッジ６の、先端が尖った破断痕から保護して破断痕による手指への不快な刺激を軽減する。
【００３７】
保護突起７の数は、それが弱化ブリッジ６に隣接して存在する限りにおいて種々に変更することができる。また、保護突起７の形態は、凸状とすることもでき、しかも、該保護突起７は、弱化ブリッジ６の上方および下方の少なくとも一方に設けることを可としている。なお、保護突起７が弱化ブリッジ６に隣接して設けられているとは、上記の保護突起６と同様に、数ミリ程度の間でもって離間して位置する場合や弱化ブリッジ６に一体的に連結している場合を含んでいる。
【００３８】
この実施例では、容器の注出開口２ａを閉塞する天板１ａは、内筒１ｃ、外筒１ｄと同心の環状周壁１ｇおよび連結部１ｈを介して外周縁を内筒１ｃの下端部に一体連結したものを例として示したが、天板１ａは外周縁を内筒１ｃの上端部に一体連結することもできる。また、天板１ａの上面を、内筒１ｃの下端部もしくはそれよりも低い位置に設けることも可能であり、この点については、図示のものに限定されることはない。
【００３９】
上記の構成からなる容器用キャップ１においては、図４の矢印で示すように、天面弱化片４、その下方に位置する弱化ブリッジ６をそれぞれ破断させて環状帯３を引き起こし、その環状帯３を引っ張ることで、連結片５を介してベース１ｅの一端部（図では右端部）が引き上げられ、この引き上げにより、容器の口頚部先端２とベース１ｅとのアンダーカット嵌合が上記一端部側から解除されて容器の開封が可能となる。その際、ベース１ｅと環状帯３とをつなぐ天面弱化片４と弱化ブリッジ６はすでに破断しており、容器の口頚部先端２に対する外筒１ｄの嵌合力が低下しているので、容器の口頚部先端２とベース１ｅとの嵌合を容易に解除することができる。
【００４０】
また、かかる構成の容器用キャップ１によれば、抜栓前については、環状帯３が容器の口頸部先端２に対する嵌合力が強化されているので、天面弱化片４、弱化ブリッジ６を破断させて環状帯３を引き起こさない限り容器を開栓することはできず、しかも、容器の正規の開封前に不正な開封が行われた場合には、天面弱化片４の破断が見てとれるので、該天面弱化片４の破断の有無を確認するだけで不正な開封が行われたがどうかを簡単かつ確実に見分けることができる。
【００４１】
なお、本発明の容器用キャップ１は、容器が開封されたのちにおいても、ベース１は初期形状をそのまま維持されるため容器用キャップ１を再利用できる利点がある。
【００４２】
図５は、本発明に従う容器用キャップ１の他の実施例をその平面について示した図である。かかる容器用キャップ１は、天面弱化片４を、指掛け片３ａが位置する環状帯３の前面側に設けて両端縁４ｄの相互間に破断予定端４ｅを形成した構成のものであり、この場合、弱化ブリッジ６は環状帯３の前面側の側方に設けられることになるが、上掲図１〜４に示した容器用キャップ１と同様に、天面弱化片４の破断の有無を容易に確認できるため、容器の正規の開封前に不正な開封が行われたかどうかの判断がしやすい。
【００４３】
本発明の容器用キャップは、天面弱化片４の両端側に隣接して保護突起７と同様の保護突起を設けてもよい。保護突起７と同様の保護突起を設けることにより、容器の口頚部先端２から容器用キャップ１のベース１ｅを離脱させる際に、需要者の手指を、天面弱化片４の先端が尖った破断痕から保護することが可能であり、これによって破断痕による手指への不快な刺激を軽減することができる。
【００４４】
なお、保護突起は、天面弱化片４の破断痕が残る側に設けるのが肝要であり、天面弱化片４の破断痕がベース１ｅの外筒１ｄの外周壁に残る場合には、その部位、すなわち、該外筒１ｄの外周壁に設けられる。
【産業上の利用可能性】
【００４５】
本発明によれば、容器の注出開口に対する嵌合力を高めて容器の確実な密封が行える一方、開封時には容易に開封を行うことが可能となる。また、本発明によれば、容器を正規に開封する前に不正な開封が行われたか否かを目視で確実に判断できる。
【符号の説明】
【００４６】
１  容器用キャップ
１ａ  天板
１ｂ  環状溝
１ｃ  内筒
１ｄ  外筒
１ｅ  ベース
１ｆ  内筒突条
１ｇ  環状周壁
１ｈ  連結部
２  口頚部先端
２ａ  注出開口
２ｂ  外周突条
３  環状帯
３ａ  指掛け部
４  天面弱化片
４ａ  前側端縁
４ｂ  後側端縁
４ｃ  破断予定端
４ｄ  端縁
４ｅ  破断予定端
５  連結片
６  弱化ブリッジ
６ａ  分断予定端
７  保護突起
【図１】
2015193389.tif 000003
【図２】
2015193389.tif 000004
【図３】
2015193389.tif 000005
【図４】
2015193389.tif 000006
【図５】
2015193389.tif 000007